(57)【特許請求の範囲】
【請求項１】
芯線と、シールド線と、該芯線とシールド線とを絶縁する内側被覆材と、前記シールド線を被覆する外側被覆材とを備えた同軸ケーブルを複数本接続する結線用コネクタであって、
前記コネクタは、各々の先端部の前記外側被覆材が剥がされ前記シールド線が前記内側被覆材の軸方向に直交する方向に導出されることにより前記内側被覆材が露出された第１および第２の同軸ケーブルを配設可能とする第１ブロックと、ヒンジにより該第１ブロックに開閉自在に取り付けられた第２ブロックとを備え、
前記第１ブロックの内側の面には、
前記外側被覆材が剥がされた先端部以外の部分である前記第１及び第２の同軸ケーブルの外側被覆材を、互いに平行に配設可能な第１および第２の配設溝と、
前記第１および第２の配設溝と同一軸線上に配置され、前記第１の同軸ケーブルの露出された第１の内側被覆材と、前記第２の同軸ケーブルの露出された第２の内側被覆材とをそれぞれ挿通可能な第１および第２の貫通孔と、
前記第１および第２の配設溝から直交分岐され、前記第１および第２配設溝から前記第１ブロックにおける互いに対向する第１および第２の側面に至るまで設けられ、前記第１の同軸ケーブルから導出された第１のシールド線と、前記第２の同軸ケーブルから導出された第２のシールド線とを、同一直線上の互いに離反する方向に向って配設可能な第３および第４の配設溝とが形成され、
前記第１ブロックの前記第１および第２の側面には、前記第３および第４の配設溝に配設された前記第１および第２のシールド線を前記第１および第２の側面から外部に導出可能で、かつ、前記第３および第４の配設溝に連通する第１及び第２の開口部が形成され、
前記第２ブロックには、前記第２ブロックが前記第１ブロックに対して閉状態で、
前記第１ブロックの内側の面に向かって突出し、前記第１の貫通孔を貫通した位置で前記第１の内側被覆材内に切込み前記第１の内側被覆材内の第１の芯線に圧接可能な第１の端子と、
前記第１ブロックの内側の面に向かって突出し、前記第２の貫通孔の貫通した位置で前記第２の内側被覆材内に切込み前記第２の内側被覆材内の第２の芯線に圧接可能な第２の端子と、
前記第１ブロックの内側の面に向かって突出し、前記第３の配設溝の中間部で、前記第１のシールド線に圧接可能な第３の端子と、
前記第１ブロックの内側の面に向かって突出し、前記第４の配設溝の中間部で、前記第２のシールド線に圧接可能な第４の端子とが設けられていることを特徴とする結線用コネクタ。
【請求項２】
前記第１ブロックはさらに、前記第３および第４の配設溝に連通し、前記第１ブロックの内側の面に対向する外側の端面に開口する第３及び第４の開口部を有し、
前記第１ブロックに対して前記第２ブロックが閉状態で、前記第３および第４の配設溝に配設した前記第１および第２のシールド線の突出部を、前記第３および第４の開口部に導出可能とすることを特徴とする請求項１に記載の結線用コネクタ。
【請求項３】
前記第１および第２の配設溝と前記第１および第２の貫通孔との連通部分において、前記第１および第２の配設溝から前記第３および第４の配設溝がそれぞれ直交分岐していることを特徴とする請求項１もしくは２に記載の結線用コネクタ。
【請求項４】
前記第１および第２の端子は、前記第１および第２の貫通孔の中間部で、前記第１および第２の芯線に圧接可能であることを特徴とする請求項１〜３のいずれかに記載の結線用コネクタ。
【請求項５】
前記第１ブロックはさらに、
前記第１および第２の貫通孔に交差し、それぞれ前記第１および第２の端子が入り込むための第１および第２の進入孔を有することを特徴とする請求項１〜４のいずれかに記載の結線用コネクタ。
【請求項６】
前記第１ブロックはさらに、
前記第３および第４の配設溝に交差し、それぞれ前記第３および第４の端子が入り込むための第３および第４の進入孔を有することを特徴とする請求項１〜５のいずれかに記載の結線用コネクタ。
【請求項７】
前記結線用コネクタは、電子機器のケースに収容され、
前記第１ブロックはさらに、前記第１および第２の貫通孔に交差し、それぞれ前記第１および第２の端子が入り込むための第１および第２の進入孔を有することを特徴とする請求項１〜６のいずれかに記載の結線用コネクタ。
【請求項８】
前記第１および第２ブロック閉口状態において前記第１および第２のブロックに係合することで、前記第１ブロックと第２ブロックとが開くのを防止する係止ブロックを備えた請求項１〜７のいずれかに記載の結線用コネクタ。
【発明の詳細な説明】
【０００１】
【発明の属する技術分野】
本発明は同軸ケーブルを端子に接続する結線用コネクタに関するものである          。
【０００２】
【従来の技術】
従来より、図１２（ａ）に示すようなケーブルのコネクタが知られている。該コネクタは、図１２（ｂ）のケーブル１００を沿わせて配設する第１ブロック１０１に、第２ブロック１０２をヒンジで開閉自在に取り付けている。第２ブロック１０２は、両ブロック１０１，１０２を閉じた図２（ｂ）の状態において、ケーブル１００の被覆材を切り込んで導体に接触する端子１０３を備えている。
【０００３】
【発明が解決しようとする課題】
しかし、この従来技術では同軸ケーブルを結線することはできない。また、同軸ケーブルは外乱の侵入を防止するものであるから、コネクタの部分においても外乱が侵入しにくい構造とする必要がある。
【０００４】
【課題を解決するための手段】
前記目的を達成するために、本発明の結線用コネクタは、芯線と、シールド線と、該芯線とシールド線とを絶縁する内側被覆材と、前記シールド線を被覆する外側被覆材とを備えた同軸ケーブルを複数本接続する結線用コネクタであって、前記コネクタは、各々の先端部の前記外側被覆材が剥がされ前記シールド線が前記内側被覆材の軸方向に直交する方向に導出されることにより前記内側被覆材が露出された第１および第２の同軸ケーブルを配設可能とする第１ブロックと、ヒンジにより該第１ブロックに開閉自在に取り付けられた第２ブロックとを備え、前記第１ブロックの内側の面には、前記外側被覆材が剥がされた先端部以外の部分である前記第１及び第２の同軸ケーブルの外側被覆材を、互いに平行に配設可能な第１および第２の配設溝と、前記第１および第２の配設溝と同一軸線上に配置され、前記第１の同軸ケーブルの露出された第１の内側被覆材と、前記第２の同軸ケーブルの露出された第２の内側被覆材とをそれぞれ挿通可能な第１および第２の貫通孔と、前記第１および第２の配設溝から直交分岐され、前記第１および第２配設溝から前記第１ブロックにおける互いに対向する第１および第２の側面に至るまで設けられ、前記第１の同軸ケーブルから導出された第１のシールド線と、前記第２の同軸ケーブルから導出された第２のシールド線とを、同一直線上の互いに離反する方向に向って配設可能な第３および第４の配設溝とが形成され、前記第１ブロックの前記第１および第２の側面には、前記第３および第４の配設溝に配設された前記第１および第２のシールド線を前記第１および第２の側面から外部に導出可能で、かつ、前記第３および第４の配設溝に連通する第１及び第２の開口部が形成され、前記第２ブロックには、前記第２ブロックが前記第１ブロックに対して閉状態で、前記第１ブロックの内側の面に向かって突出し、前記第１の貫通孔を貫通した位置で前記第１の内側被覆材内に切込み前記第１の内側被覆材内の第１の芯線に圧接可能な第１の端子と、前記第１ブロックの内側の面に向かって突出し、前記第２の貫通孔の貫通した位置で前記第２の内側被覆材内に切込み前記第２の内側被覆材内の第２の芯線に圧接可能な第２の端子と、前記第１ブロックの内側の面に向かって突出し、前記第３の配設溝の中間部で、前記第１のシールド線に圧接可能な第３の端子と、前記第１ブロックの内側の面に向かって突出し、前記第４の配設溝の中間部で、前記第２のシールド線に圧接可能な第４の端子とが設けられていることを特徴とする。
【０００５】
本発明によれば、芯線およびシールド線にそれぞれ接触する端子を備えているので、同軸ケーブルを結線することができ、しかも、内側被覆材を配設する貫通孔とは別に、外側被覆材を配設する第１および第２配設溝を設けたので、該溝に外側被覆材を落とし込むようにして結線作業を容易に行うことができる。
また、第１および第２配設溝を設けたことにより、外側被覆材の内側のシールド線がコネクタ内に入り込むので、該コネクタを電子機器のケースに装着した際には、シールド線で覆われていない結線部分を電子機器のシールド部材によってシールドすることもできる。
【０００６】
【発明の実施の形態】
以下、本発明の実施形態を図面にしたがって説明する。
なお、以下の図面はコネクタを数倍程度に拡大して図示している。
図１において、本実施形態のコネクタ１は、同軸ケーブル２をたとえば検出器のアンプのような電子機器に結線するためのもので、電子機器のケース４内に収容される。該ケース４におけるコネクタ１を収容する部分は、図示しない銅箔などのシールド部材で覆われている。該コネクタ１は、図２に示すように、第１および第２ブロック１０，２０と、係止ブロック３０と、前記第２ブロック２０に固定された一対の第１および第２端子２１，２１と、第３および第４端子２２，２２とで構成されている。
【０００７】
図３（ａ）に示すように、第１および第２の同軸ケーブル２は、第１および第２の芯線（中心導体）２ａと第１および第２のシールド線（外部導体）２ｂと、２つの線２ａ，２ｂ間を絶縁する第１および第２の内側被覆材２ｃと、第１および第２のシールド線２ｂを被覆する第１および第２の外側被覆材２ｄとで構成されている。該同軸ケーブル２は、この図に示すように、外側被覆材２ｄの先端部をカッタで切断除去して内側被覆材２ｃを露出させると共に、シールド線２ｂを捩って側方に導出する。
【０００８】
図３（ｂ）の第１ブロック１０は、図２の第２ブロック２０の軸２３に回転自在に嵌合する嵌合部１１を備えており、これにより、第２ブロック２０がヒンジ２４（１１，２３）で第１ブロック１０に開閉自在に取り付けられている。
【０００９】
図３（ｂ），（ｃ）に示すように、前記第１ブロック１０は、第１および第２の同軸ケーブル２を配設するための第１および第２の配設孔（貫通孔）１２、第１および第２配設溝１３および第３および第４配設溝１４を備えている。これらの配設孔１２および配設溝１３，１４は、配設部を構成している。
前記第１および第２の配設孔１２は、同軸ケーブル２の先端において露出する内側被覆材２ｃを配設するための貫通孔で、配設孔１２には第１進入孔１５が交差している。該第１および第２進入孔１５には図２の第１および第２端子２１が入り込むことで、第２ブロック２０が閉じた図４の状態において、第１端子２１が内側被覆材２ｃを切り込んで芯線２ａに接触する。
【００１０】
前記第１および第２配設溝１３は、図３（ｃ）の前記外側被覆材２ｄを配設するための溝で、図４（ａ）および図３（ｃ）のように、配設孔１２と同一軸線上に形成されている。該第１および第２配設溝１３からは、第３および第４配設溝１４が直交する方向に分岐しており、該第３および第４配設溝１４には、内側被覆材２ｃから捩り出したシールド線２ｂが配設される。該第３および第４配設溝１４と前記配設孔１２とで、シールド線２ｂと芯線２ａとが互いに重ならないように分岐して配設されている。
【００１１】
前記第３および第４配設溝１４には、第３および第４進入孔１６が交差している。該第３および第４進入孔１６には図２の第３および第４第２端子２２が入り込むことで、第２ブロック２０が閉じた図４の状態において、第３および第４端子２２（図２）がシールド線２ｂに接触する。前記各端子２１および２２は、図５の破線で示す差込端子部２０ａを有しており、該差込端子部２０ａが図４（ａ）の第２ブロック２０の端子孔２５に差し込んで固定されている。該端子孔２５には図１の端子ピン４０が挿入されてコネクタ１を介して、各同軸ケーブル２の芯線２ａと各端子ピン４０とが接続される。
【００１２】
図２の第３および第４配設溝１４は、第１ブロック１０の内側の面１０ａから側面１０ｂにわたって形成されていると共に、図６（ａ）のように、外側の端面１０ｃにおいて開口しており、図６（ｂ）のシールド線２ｂをコネクタ１の外部に導出可能としている。該端面１０ｃには、図６（ａ）における第３および第４配設溝１４の開口１４ａの近傍に他の部分よりも窪んだ凹所１０ｄが形成されている。
【００１３】
係止ブロック３０は、図１のように、第２ブロック２０が閉じた状態において前記第１ブロック１０および第２ブロック２０に係合することで、第１ブロック１０と第２ブロック２０とが開くのを防止するためのものである。該係止ブロック３０は、図２および図４（ｂ）に示すように、第２ブロック２０に樹脂製の薄肉ヒンジ部３１を介して回動可能に一体に成形されている。前記係止ブロック３０は、図２の第２ブロック２０に係止する係止突片３２と、第１ブロック１０の被係止突部１７に係止する係止孔３３とを有している。
なお、第２ブロック２０には、コネクタ１の装着姿勢を決める突条部２６が一体に形成されている。
【００１４】
つぎに、組立方法について説明する。
まず、図３（ａ）に示すように、同軸ケーブル２の先端部の外側被覆材２ｄを切断除去して、内側被覆材２ｃを露出させると共にシールド線２ｂを捩り出す。ついで、図２に示すように、外側被覆材２ｄ、シールド線２ｂおよび内側被覆材２ｃを、それぞれ、第１および第２配設溝１３、第３および第４配設溝１４と配設孔１２とに配設する。この配設後、ブロック２０を第１ブロック１０に向かって閉じるように回転させる。この際、第１および第２第１端子２１が第１および第２第１進入孔１５に進入して図４の内側被覆材２ｃを切り込んで芯線２ａに圧接する。同時に、図２の第３および第４端子２２がシールド線２ｂに圧接する。ついで、図１のように、係止ブロック３０を回転させることで、第１ブロック１０と第２ブロック２０とが開くのを防止する。その後、図６（ｂ）に二点鎖線で示すシールド線２ｂの突出部分を工具で切断除去し、図１のコネクタ１をケース４に落とし込んで、図６（ｃ）の端子孔２５を図１の端子ピン４０に差し込む。
【００１５】
前記構成において、本コネクタ１は、図２の外側被覆材２ｄを配設する第１および第２配設溝１３を設けているので、コネクタ１の内部において同軸ケーブル２が剥き出されていることになる。ここで、コネクタ１は図１のケース４内に完全に収容され、該ケース４にはシールド部材が設けられているから、コネクタ１内の外側被覆材２ｄで覆われていない部分をケース４の奥深い位置まで挿入して、当該部分をシールド部材で保護することができる。
【００１６】
また、図３（ｃ）の内側被覆材２ｃを配設する配設孔１２とは別に、外側被覆材２ｄを配設する第１および第２配設溝１３を設けたから、該第１および第２配設溝１３に外側被覆材２ｄを落とし込むようにすることで、組立作業を容易に行うことができる。しかも、第１および第２配設溝１３と第１および第２配設孔１２とが同一軸線上に形成されているので、内側被覆材２ｃを配設孔１２に通す作業性が良い。一方、各配設溝１３，１４が孔ではなく溝で形成されているから、捩り出したシールド線２ｂを第２配設溝１４に配設し得る。
【００１７】
また、図４（ａ）の配設孔１２が貫通孔で形成されているから、図１のように、内側被覆材２ｃを長く突出させても支障がなく、かつ、第３および第４配設溝１４が開口しているのでシールド線２ｂが第３および第４配設溝１４から突出してもよい。そのため、同軸ケーブル２をコネクタ１に結線する前に、図３（ａ）の同軸ケーブル２の剥き出し長さを正確に設定する必要がない。したがって、結線作業が容易になる。
【００１８】
また、図３（ｃ）の第２配設溝１４はシールド線２ｂが芯線２ａと重ならないようにシールド線２ｂを導出しているので、芯線２ａおよびシールド線２ｂに図２の各端子２１，端子２２を容易に接触させることができる。
【００１９】
ところで、図６（ｂ）のように、シールド線２ｂを切断除去しても、シールド線２ｂが凹所１０ｄから若干突出するのは避けられない。ここで、本コネクタ１は、シールド線２ｂが突出する端面１０ｄが凹んでいるから、シールド線２ｂを切断除去した後に、シールド線２ｂがコネクタ１から若干突出していても、端面１０ｃから退避しているので、該突出部分が邪魔になるおそれはない。
【００２０】
ところで、本コネクタ１は図４（ａ）のように、第２ブロック２０と第１ブロック１０とを閉じた際に、第１および第２端子２１が内側被覆材２ｃを切り込むものであるから、内側被覆材２ｃからの反力により、第１ブロック１０と第２ブロック２０との間には、両者を開けようとする力が作用する。そのため、図１２の従来例では、第１ブロック１０１と第２ブロック１０２とが一度閉じた状態になると、両者１０１，１０２が開かないようにする係合要素を設けている。しかし、設備のレイアウトを変更したりすると、同軸ケーブル２の長さを短くしたい場合があり、前記従来例では、かかる場合に対処しづらい。これに対し、図１の本コネクタ１では、係止ブロック３０を設けて第１ブロック１０と第２ブロック２０とが開かないようにしている。したがって、係止ブロック３０を回転させることで、第１ブロック１０と第２ブロック２０とを容易に開くことができるから、同軸ケーブル２の長さを容易に変えることができるなど、コネクタ１を何度も使用することができる。
【００２１】
また、係止ブロック３０を図４（ｂ）のように第２ブロック２０に薄肉ヒンジ部３１を介して一体としているので、小さな部品である係止ブロック３０を紛失するおそれがない。また、係止ブロック３０を第２ブロック２０に薄肉ヒンジ部３１によって一体に形成しているので、通常のヒンジのような組立を必要としないから、組立時のコストダウンを図ることもできる。
【００２２】
しかし、本発明では、図７に示すように、係止ブロック３０を別のパーツ、つまり、第２ブロック２０および第１ブロック１０とは別体の成形品としてもよい。
【００２３】
図８は本発明の理解に役立つ参考例を示す。この図は１本の同軸ケーブル２を結線するコネクタ１を示す。
【００２４】
図９および図１０の参考例では、シールド線２ｂを１８０°折り返すようにして、コネクタ１の外方に導出している。これに対し、前記実施形態では、図３（ｃ）のシールド線２ｂを外側被覆材２ｄに対して９０°向きを変えてコネクタ１の外方に導出している。
【００２５】
図１１の参考例に示すように、同軸ケーブル２が先端部において、内側被覆材２ｃおよびシールド線２ｂが露出するように外側被覆材２ｄおよびシールド線２ｂを切断除去した場合、第１および第２端子２１と第３および第４端子２２とが対向する位置となるので、コネクタが同軸ケーブル２の軸線方向に若干大型化する。これに対し、前記図２の実施形態では、コネクタ１を同軸ケーブル２の軸線方向に小型化することができる。
【００２６】
また、前記実施形態では、図６（ｃ）の端子孔２５を有する雌型コネクタについて説明したが、本発明のコネクタは、図５の第１および第２端子２１，２２に端子ピンを一体に形成した雄型コネクタについても適用できる。
【００２７】
【発明の効果】
以上説明したように、本発明によれば、内側被覆材を配設する配設孔（貫通孔）とは別に、外側被覆材を配設する第１および第２配設溝を設けたので、該配設溝に外側被覆材を落とし込むようにして容易に結線作業を行うことができる。また、第１および第２配設溝を設けたことにより、外側被覆材の内側のシールド線がコネクタ内に入り込むので、該コネクタを電子機器のケースに装着した際には、シールド線で覆われていない結線部分が電子機器の奥深い位置まで入り込むから、該結線部分を電子機器のシールド部材によって保護することができる。
【００２８】
また、本発明によれば、シールド線を配設する第３および第４配設溝を設けているので、同軸ケーブルから捩り出したシールド線を第３および第４配設溝に沿わすことで容易に配設し得る。しかも、芯線とシールド線とが重ならないようにしているから、各端子と両導体との接触の確実性が向上する。
【００２９】
さらに、内側被覆材を挿通する配設孔を貫通孔で形成し、一方、外部導体を配設する第３および第４配設溝が結線用コネクタの端面に開口していれば、同軸ケーブルの先端部の剥き出し長さが長くても、たとえばシールド線の突出部分を工具で除去することができる。したがって、先端部の剥き出し長さを正確に設定する必要がないから、結線作業が容易になる。
【００３０】
さらに、外部導体が導出される開口の近傍の端面に凹所を形成すれば、シールド線を切断除去した後に、シールド線が若干突出していても、該突出部分が邪魔になるおそれがない。
【００３１】
また、第１および第２ブロックに係止する係止ブロックを設ければ、該係止ブロックを外すことで、同軸ケーブルの長さを変えて何回でも配線のやり直しを行うことができる。
【００３２】
さらに、前記係止ブロックをヒンジで第１または第２ブロックと連結しておけば、小さな係止ブロックを紛失するおそれもない。
【００３３】
さらにまた、前記係止ブロックを薄肉ヒンジ部を介して第２ブロックと一体に成形すれば、コストダウンを図ることもできる。
【図面の簡単な説明】
【図１】  本発明の第１実施形態を示す結線用コネクタの組立後の斜視図である。
【図２】  同組立中の斜視図である。
【図３】  （ａ）は同軸ケーブルの斜視図、（ｂ）は第１ブロックの斜視図、（ｃ）は同平面図である。
【図４】  （ａ）は結線用コネクタの断面図、（ｂ）は側面図である。
【図５】  第２ブロックおよび係止ブロックの斜視図である。
【図６】  組立後の結線用コネクタの平面図、左側面図および底面図である。
【図７】  第２実施形態を示す組立前の結線用コネクタの概略側面図である。
【図８】  本発明の理解に役立つ参考例を示す第１ブロックの平面図である。
【図９】  他の参考例を示す組立後の結線用コネクタの斜視図である。
【図１０】  同参考例の第１ブロックおよび第２ブロックを示す平面図である。
【図１１】  端子と同軸ケーブルの他の接触構造の参考例を示す斜視図である。
【図１２】  従来の結線用コネクタを示す断面図でる。
【符号の説明】
１：コネクタ
２：第１の同軸ケーブル、第２の同軸ケーブル
２ａ：第１の芯線、第２の芯線
２ｂ：第１のシールド線、第２のシールド線
２ｃ：第１の内側被覆材、第２の内側被覆材
２ｄ：第１の外側被覆材、第２の外側被覆材
１０：第１ブロック
１０ａ：内側の面
１０ｂ：第１の側面、第２の側面
１２：第１の貫通孔、第２の貫通孔（配設孔）
１３：第１の配設溝、第２の配設溝
１４：第３の配設溝、第４の配設溝
１４ａ：第３の開口部、第４の開口部
１５：第１の進入孔、第２の進入孔
１６：第３の進入孔、第４の進入孔
２０：第２ブロック
２１：第１の端子、第２の端子
２２：第３の端子、第４の端子
２４：ヒンジ
３０：係止ブロック
３１：薄肉ヒンジ部
【図１】
0003768303.tif 000002
【図２】
0003768303.tif 000003
【図３】
0003768303.tif 000004
【図４】
0003768303.tif 000005
【図５】
0003768303.tif 000006
【図６】
0003768303.tif 000007
【図７】
0003768303.tif 000008
【図８】
0003768303.tif 000009
【図９】
0003768303.tif 000010
【図１０】
0003768303.tif 000011
【図１１】
0003768303.tif 000012
【図１２】
0003768303.tif 000013